(57)【特許請求の範囲】
【請求項１】
端子部が仕切壁を介して複数設置されるベースと、前記ベースにスナップフィットにより固定されるカバーとを備え、
前記仕切壁に、前記カバーの装着方向に設けられた挿入凹部と、前記カバーに設けられ、カバーの装着に際してカバー側で前記端子部間に延びて前記挿入凹部に嵌合する挿入凸部とを設けた回路遮断器において、
スナップフィットはベース側スナップ部とカバー側スナップ部との嵌合より形成され、前記ベース側スナップ部は挿入凹部の隣接位置に配設され、前記カバー側スナップ部は前記挿入凸部の隣接位置に配設されたことを特徴とする回路遮断器。
【請求項２】
カバーには、カバー側スナップ部とカバーの底面との間に当該底面と並行方向に緩衝スリットが配設されたことを特徴とする請求項１に記載の回路遮断器。
【発明の詳細な説明】
【０００１】
【発明の属する技術分野】
本発明は、電路を保護する回路遮断器に関し、特に、そのベースとカバーとの組合せの構成に関する。
【０００２】
【従来の技術】
従来の技術を図４乃至図９に基づいて説明する。
図４は、実開平５−６６８５７号公報に示された回路遮断器おけるベ−スとカバ−とを組合せる前の状態を示す斜視図、図５は図４のＡ−Ａ線断面図、図６は図４に示す回路遮断器の要部分解斜視図、図７は図４のＢ−Ｂ線断面図である。
【０００３】
図４において、１は図示しない開閉機構及び複数対の開閉接点等が収容される合成樹脂等の絶縁材料で形成された箱型容器状の回路遮断器のベ−スである。図示のベース１は２極の開閉機構等が配設されるもので、２つの相間の絶縁を図るための仕切壁２０、２１が設けられている。
図４及び図６において、１０は端子部であり、銅又は銅合金等からなる導体で形成された端子板２や、銅又は銅合金等からなる導体で形成されたソルダレス端子３や、端子ねじ４等で構成されている。
図４において、５は合成樹脂等の絶縁材料で形成されたカバ−であり、上記ベ−ス１の上方から蓋を閉める様にして組合わされる。
【０００４】
再び図４において、６は溝付外部導体で端子ねじ４と端子板２との間に挟まれて、端子板２と電気的に接続される。７も溝無外部導体で端子板２とソルダレス端子３との間に挟まれて、端子板２と電気的に接続される。
【０００５】
図６において、各相間の絶縁を行うためベース１の中央長手方向に配置されている仕切壁２０、２１の箱外部側には凸部を有するベース側スナップ部１ｂ、１ｂが設けられている。
尚、１ｃは端子板２の位置を決めるための受座、１ｄは外部導体を挿入するための導体挿入穴、１ｅは上記受座１ｃと共に端子板２の位置を決めるための垂直受座、１ｆはベース１の内面に当たるベース内面である。
【０００６】
３はソルダレス端子であり、端子板２の水平下部２ａに挿嵌され、端子ねじ４により端子板２の水平上部２ｂにある貫通孔２ｃを通して、ねじ部３ａを締め付け一体的に組み合わされることにより、端子部１０が構成されている。
この端子部１０は、端子板２の垂直下部２ｄがベ−ス１の受座１ｃ上に位置するように組込まれ、ベ−ス１のベース内面１ｆ、受座１ｃ、垂直受座１ｅと後述のカバー５の押え部５ｂとにより保持され、外部導体６や７に力が作用しても端子部１０が動かないように固定されている。
【０００７】
５ａはカバー５に設けられたカバー側スナップ部であり、この例では一方の仕切壁２０に設けられたベース側スナップ部１ｂの凸部と組み合わされる穴が配設されている。５ｂは端子板２の垂直上部２ｅを押えて端子板２を固定する押え部である。
【０００８】
上記のようなベース１及びカバー５を備えた回路遮断器において、カバ−５のカバー側スナップ部５ａが、図５に示すかかりしろ（Ｌ１）分、変形し、開閉機構等（図示しない）が収納されたベース１のベ−ススナップ部１ｂと嵌め合わされ（以下この嵌合をスナップフィットという）、ベ−ス１とカバ−５とが一体的に組合わされる。
【０００９】
図８は回路遮断器に溝付外部導体６が接続された状態を示す断面図であり、端子ねじ４と端子板２の水平上部２ｂとの間に外部導体６の溝部が挿入され、端子ねじ４をソルダレス端子３のねじ部３ａに締付けることにより、溝付外部導体６が端子板２に電気的に接続されている。
【００１０】
又、図９は回路遮断器に外部導体７が接続された状態を示す断面図であり、ベ−ス１の導体挿入穴１ｄを通して、ソルダレス端子３と端子板２の水平下部２ａとの間に外部導体７の先端部が挿入され、端子ねじ４をソルダレス端子３のねじ部３ａに締付けることにより、外部導体７が端子板２に電気的に接続されている。
【００１１】
【発明が解決しようとする課題】
上記のように構成された従来の回路遮断器においては、図８の矢印に示すように、溝付外部導体６に対して過大な力が加えれられると、溝付外部導体６がカバー５を押し上げるため、スナップフィットが外れて、カバー５がベース１から外れたり、カバー側スナップ部５ａやベ−ス側スナップ部１ｂが破損するという問題があった。
【００１２】
又、図９の矢印に示すように、導体挿入穴１ｄに挿入された外部導体７に対して過大な力を加えると、端子板２を通して、端子板２を押えて固定しているカバ−５の押え部５ｂに力が加わって、カバー５がベース１から外れたり、カバー側スナップ部５ａやベ−ス側スナップ部１ｂが破損するという問題があった。
【００１３】
更に、図５に示すように、回路遮断器のハンドル（図示しない）の操作時において、カバ−５に矢印方向の力が加えられると、電源側又は負荷側の片方のカバー側スナップ部５ａが撓み、反対側のカバー側スナップ部５ａとベース側スナップ部１ｂとのかかりしろ（Ｌ１）がなくなり、カバ−５が外れやすいという問題があった。
【００１４】
本発明は、上述のような問題を解消し、カバ−５がベース１から外れたり、カバー側スナップ部５ａやベース側スナップ部１ｂが破損しにくい回路遮断器を提供することを目的とする。
【００１５】
【課題を解決するための手段】
請求項１の発明は、端子部が仕切壁を介して複数設置されるベースと、前記ベースにスナップフィットにより固定されるカバーとを備えた回路遮断器において、前記仕切壁に前記カバーの装着方向に設けられた挿入凹部と、前記カバーに設けられ、カバーの装着に際して前記挿入凹部に嵌合する挿入凸部とを設けた回路遮断器において、スナップフィットがベース側スナップ部とカバー側スナップ部との嵌合より形成され、前記ベース側スナップ部は挿入凹部の隣接位置に配設され、前記カバー側スナップ部は前記挿入凸部の隣接位置に配設されたことを特徴とする。
【００１７】
請求項２の発明は、請求項１に記載の回路遮断器において、カバーには、カバー側スナップ部とカバーの底面との間に当該底面と並行方向に緩衝スリットが配設されてたことを特徴とする。
【００１８】
【発明の実施の形態】
実施の形態１．
実施の形態１は、ベース１にスナップフィットにより固定されるカバー５と、ベース１内に並列に配設された複数の端子部１０とを備え、ベース１に凹設された挿入凹部としての挿入溝３０、３１と、この挿入溝３０、３１に嵌合するように上記カバーに凸設された挿入凸部としてのカバー仕切壁４０、４１が上記のベース１内に並列に配設された端子部１０との相互間を遮蔽するように配設されたものである。
又、スナップフィットは、ベース側スナップ部１ｂ、１ｂとカバー側スナップ部５ａ、５ａとの嵌合により形成され、上記一方のベース側スナップ部１ｂが挿入溝３０に、他方のベース側スナップ部１ｂが挿入溝３１にそれぞれ隣接する位置（隣接位置）に配設され、上記一方のカバー側スナップ部５ａはカバー仕切壁４０に、他方のカバー側スナップ部５ａはカバー仕切壁４１に隣接する位置（隣接位置）にそれぞれ配設した。
更に又、カバー側スナップ部５ａ及び５ａとカバー底面５ｆとの間には、当該カバー底面５ｆと並行方向に緩衝スリット５ｇ、５ｇをそれぞれ配設した。
【００１９】
この実施の形態１を図１乃至図３に基づいて説明する。
図１はベ−スとカバーとを組合せる前の状態を示す回路遮断器の斜視図、図２は図１のＣ−Ｃ線断面図、図３は図１に示す回路遮断器の負荷側視図である。
尚、図において従来の回路遮断器と同一又は相当部分には同一符号を付し、その説明を省略する。
【００２０】
図１及び図２において、３０、３１はベース１の中央長手方向の両端側にそれぞれ配設された仕切壁２０、２１の各々に形成された挿入凹部としての挿入溝であり、これに後述の挿入凸部としてカバー５側に設けられたカバー仕切壁４０、４１が、カバー５が組合される際に、装着方向にそれぞれ挿入される。
この例では、ベース１に対してカバー５がその上方より蓋の様に組合されるため、挿入溝３０、３１はベース側仕切壁２０、２１の幅内において、その上端側から下端側へと垂直方向へ穿たれた穴、この例では、薄い角穴状に形成されている。これに対応して、他方のカバー側仕切壁４０、４１は、カバー５の底面５ｆから垂直下方向へと延在する突起、この例では板状に形成されている。
【００２１】
このカバ−５に形成された板状のカバー仕切壁４０、４１は、挿入溝３０、３１の縦側面１ｈ及び、挿入溝３０、３１の横側面１ｉと挿入状態において密接するように形成されている。５ｄはカバー仕切壁４０、４１の角部、５ｅはカバー仕切壁４０、４１の先端部である。５ｇはカバー側スナップ部５ａとカバー底面５ｆとの間にカバー底面５ｆに沿って、若しくはカバー底面５ｆに並行して配設された緩衝スリットである。
【００２２】
上記のような回路遮断器においては、カバー５を開閉機構等（図示しない）が収納されたベース１に装着する場合、最初にベース１に配設された挿入溝３０、３１にカバー側仕切壁４０、４１の先端部５ｅ、５ｅがそれぞれ嵌合され、カバー仕切壁４０、４１が挿入溝３０、３１の縦側面１ｈ及び横側面１ｉに案内されながら挿入されて行き、カバー側スナップ部５ａとベース側スナップ部１ｂとがスナップフィットされて、カバー５がベース１に固定される。
尚、スナップフィットの際には、緩衝スリット５ｇを配設しているので、カバー側スナップ部５ａが撓み、ベース側スナップ部１ｂとのスナップフィットが円滑に行なわれる。
【００２３】
又、カバー仕切壁４０、４１と挿入溝３０、３１の嵌合部寸法は挿入された状態において、相互間の間隙ができるだけ小さくなるように形成されているため、例えば、溝付外部導体６に対して、図８の矢印に示す方向へ過大な力が加えられた場合には、カバー５にその力が加わる前にカバー仕切壁４０、４１の角部５ｄがベース１の縦側面１ｈに当接するので、カバー側スナップ部５ａには直接、力が加わらない。
【００２４】
又、例えば、外部導体７に対して、図９の矢印に示す方向へ過大な力が加えられた場合には、その力が押え部５ｂに加わる前にカバー５の先端部５ｅがベ−ス１の横側面１ｉに当接するので、カバー側スナップ部５ａには直接、力が加わらない。
【００２５】
又、ハンドル操作の際、カバ−５に対して、図５の矢印に示す方向へ過大な力が加えられた場合には、角部５ｄがベース１の縦側面１ｈに当接するので、カバー側スナップ部５ａとベース側スナップ部１ｂとのかかりしろ（Ｌ１）が確保される。
【００２６】
又、カバー仕切壁４０、４１は垂直方向に延在させて、挿入溝３０、３１と挿入深さ寸法を十分にとって嵌合させているので、仮に、ベース１に収納した開閉接点（図示しない）が大電流を遮断した時に生ずるガスの圧力により、カバー５が浮き上がった場合でも、挿入溝３０、３１との嵌合が確保される。
【００２７】
【発明の効果】
請求項１の発明によれば、端子部に接続された外部導体に過大な力が加えられた場合やハンドル操作の際等に、カバーに過大な力が加えられた場合でも、カバーが外れ難く、開閉接点が大電流を遮断した時に生ずるガスの圧力により、カバーが浮き上がった場合でも、挿入凹部と挿入凸部との嵌合により、端子部相互間の沿面距離を十分に確保することができるため、絶縁耐力を低下させない。特に、カバー側スナップ部やベース側スナップ部が破損することを防止できるとともに、カバーをベースに装着する作業を円滑且つ容易に行なうことができる。
【００２９】
又、請求項２の発明によれば、スナップフィットの際、緩衝スリットによりカバー側スナップ部が撓み易いのでカバーをベースに装着する作業を容易且つ円滑に行なうことができる。
【図面の簡単な説明】
【図１】  ベ−スとカバーとを組合せる前の状態を示す回路遮断器の斜視図である。
【図２】  図１のＣ−Ｃ線断面図である。
【図３】  図１に示す回路遮断器の負荷側視図である。
【図４】  従来の回路遮断器におけるベースとカバーを組合せる前の状態を示す斜視図である。
【図５】  図４のＡ−Ａ線断面図である。
【図６】  図４に示す回路遮断器の要部分解斜視図である。
【図７】  図４のＢ−Ｂ線断面図である。
【図８】  従来の回路遮断器に溝付外部導体が接続された状態を示す断面図である。
【図９】  従来の回路遮断器に外部導体が接続された状態を示す断面図である。
【符号の説明】
１  ベ−ス、１ｂ  ベ−ス側スナップ部、１ｆ  ベース内面、１ｈ  縦側面、１ｉ  横側面、３  ソルダレス端子、５  カバー、５ａ  カバー側スナップ部、５ｂ  押え部、５ｄ  角部、５ｅ  先端部、５ｆ  カバー底面、５ｇ  緩衝スリット、６  溝付外部導体、７  外部導体、１０  端子部、２０、２１  ベース仕切壁（仕切壁）、３０、３１  挿入溝（挿入凹部）、４０、４１  カバー仕切壁（挿入凸部）。
【図１】
0003886667.tif 000002
【図２】
0003886667.tif 000003
【図３】
0003886667.tif 000004
【図４】
0003886667.tif 000005
【図５】
0003886667.tif 000006
【図６】
0003886667.tif 000007
【図７】
0003886667.tif 000008
【図８】
0003886667.tif 000009
【図９】
0003886667.tif 000010